【事件の表示】
　特願２００１−１２４４７７「液晶表示装置」拒絶査定不服審判事件〔平成１４年　１月２３日出願公開、特開２００２−　２３１９６〕について、次のとおり審決する。
【結　論】
　本件審判の請求は、成り立たない。
【理　由】
１　手続の経緯
　本願は平成４年１０月２９日に出願した特願平４−２９１６１８号の一部を平成１３年４月２３日に新たな特許出願としたものである。
　平成１３年　４月２３日　特許出願
　平成１５年１２月２５日　拒絶理由通知
　平成１６年　３月　８日　手続補正書
　平成１６年　６月　４日　拒絶査定
　平成１６年　７月１４日　審判請求
　平成１６年　８月　５日　手続補正書
　
２　本願の請求項に係る発明
　本願の請求項に係る発明は、平成１６年３月８日付け、平成１６年８月５日付け手続補正書で補正された明細書及び図面の記載からみて、その特許請求の範囲の請求項１ないし４に記載されたとおりのものと認められるところ、その請求項１に係る発明は下記のものである(以下、「本願発明」という。)。
　
　　　　　　　　　　　　　　記
　
【請求項１】　一対の基板間の封止部の内側に挟持された液晶と、
　前記一対の基板の一方の基板の前記封止部の内側に配置されたトランジスタと、
　前記トランジスタ上に配置された絵素電極と、
　前記液晶を挟んで前記絵素電極と対向し前記封止部まで形成された対向電極と、
　前記封止部と前記一方の基板の間であって前記封止部に対向して配置され有機薄膜で覆われた駆動回路と、
　前記封止部の領域において前記駆動回路上に有機薄膜を挟んで形成され、前記対向電極と電気的に接続された導電性膜と、
　前記駆動回路から前記封止部の外に延びる配線につなげられた外部端子と、を具備し、トランジスタで構成された前記駆動回路上に前記封止部があることを特徴とする液晶表示装置。
　
３　引用例の記載等
　原査定の拒絶の理由に引用された特開昭５８−８５４７８号公報(以下、「引用例」という。)には、第１ないし３図とともに以下の記載がある。
(1)　「本発明は液晶表示装置に係わる。
　液晶表示装置、例えばテレビジヨン映像をなす平面型液晶表示装置においては、いわゆるＸ−Ｙ単純マトリクス方式と、スイツチングＭＯＳトランジスタ（絶縁ゲート型電界効果トランジスタ）とホールド用容量を内蔵したアクテイブマトリクス方式とが一般的に知られている。これら表示装置において表示画像の階調やクロストークなどの点で後者のアクテイブマトリクス方式によるものの方が優れている。この種アクテイブマトリクス方式による液晶表示装置は、時分割多重駆動による。この駆動回路は、例えば第１図に示す構成を有する。図においてＬＣはその水平及び垂直方向のマトリクス状に配列された各液晶表示部を示す。これら液晶表示部ＬＣは、その各一方の電極は、共通の電極とされて例えば接地電位とされ、他方の電極は夫々独立に絵素電極として導出される。また図において(1)は水平方向のシフトレジスタ、バツフア回路入力回路等を含む水平方向の制御回路部を示し、(2)は垂直方向のシフトレジスタ、バツフア回路等を含む垂直方向の制御回路部で、水平方向制御回路部(1)に表示信号が与えられて順次的にスイツチングＭＯＳトランジスタによつて各液晶表示部を表示するようになされる。またＣは各表示部ＬＣに対して設けられた例えば1/60秒間のフイールド信号期間中の電荷蓄積用のすなわちホールド用容量を示す。
　本発明はこのようなアクテイブマトリクス方式による液晶表示装置において、その液晶表示部とこれの駆動回路とを共通の基板上に形成して全体の小型密実化と、更に液晶表示部の長寿命化を図るようにした液晶表示装置を提供するものである。」(第１頁左下欄第１５行ないし第２頁左上欄第６行)
(2)　「まず第２図及び第３図を参照して本発明を反射型液晶表示装置に適用するための一例を説明する。
　第２図は本発明装置の略線的平面図で、第３図はその一部の拡大断面図を示す。まず第２図を参照して本発明装置の概略構成を説明するに、本発明においては、基板(11)とこれに対向して設けられた透明基板(12)との間に液晶(13)を封入する液密空間を形成する。そして、その中央部において各絵素を構成する液晶表示部Ｅを配置し、その周辺の例えば四周に第１図で説明した制御回路(1)及び(2)を構成する周辺回路部Ｓを配置する。
　基板(11)は例えば１００結晶面を有し比抵抗が２〜３Ω・cmのシリコン半導体基板より成り、これに対向して設けられる透明基板(12)は例えば石英ガラス或いはフロートガラス等の基板によつて構成する。そして、これら間に形成した液密空間内には、液晶例えばゲスト−ホスト型の液晶(13)を封入する。基板(11)上には、第３図に示すように、液晶表示部を駆動制御する制御回路及び各絵素に対応して設けられる駆動回路等を構成する半導体回路が設けられる。半導体基板(11)の周辺部には、前述したように、第１図で説明した制御回路(1)及び(2)を構成する周辺回路部Ｓが設けられ、これより内側において表示部Ｅの複数の絵素部が基板(11)及び(12)の板面方向に沿つて水平及び垂直方向にすなわちマトリクス状に配列される。そして半導体基板(11)の液晶(13)が配置される側にはこれらの表示部に対応して例えばＮ型のソース及びドレイン領域(14s)及び(14d)がイオン注入法、拡散法等によつて形成され、これら間上にゲート絶縁層(15)例えばSiO2層が形成され、更にこれの上にゲート電極(16)が設けられて第１図で説明したスイツチング用のＭＯＳトランジスタが形成される。またこれらソース領域(14s)及びドレイン領域(14d)上にオーミツクに連結して夫々ソース電極及びドレイン電極となり且つこれらよりの配線部となる導電層(17)が設けられる。またこれら各ＭＯＳに隣合つて基板(11)の表面に基板(11)と同導電型の高濃度領域(18)が設けられ、これの上には例えばゲート絶縁層(15)と同時に形成されたSiO2等の薄い誘電体層(19)が形成され、これの上にＭＯＳのドレイン電極に連結された導電層(17)が延在して高濃度領域(18)との間に第１図で説明した容量Ｃが構成される。導電層(17)が周辺回路部Ｓにおける配線或いは電極等の導電層(20)と共に例えば低比抵抗の多結晶半導体層例えばソース及びドレイン、領域(14s)及び(14d)と同導電型のＮ型の多結晶シリコン層によつて形成し得る。(21)は基体(11)の表面に形成された絶縁層、例えば厚いSiO2酸化物層である。また、導電層(17)及び(20)上を含んで例えば全面的に燐ガラス或いは砒素ガラス等の絶縁層(33)を形成し、これの導電層(17)及び(20)上の所定部に窓が穿設され、これら窓を通じて導電層(17)及び(20)と電気的に連結する端子導出或いは各導電層(17)及び(20)の相互の接続等を行う金属配線層例えばAl層(22)が所定のパターンに形成されてこれの上に表面が平滑化されるようにいわゆるガラスフローされた燐ガラス或いはポリイミド系樹脂等による絶縁層(23)が被着される。そしてこの絶縁層(23)上に液晶(13)に電圧を与えるための電極特に表示部Ｅすなわち各絵素に対応して設けられる絵素電極(24)と、周辺回路部Ｓ上に対向する部分、言い換えれば本来の表示部以外で且つ液晶(13)の四周に対する例えばリング状の周辺電極(25)と、更に端子部(32)とを配置する。各絵素電極(24)はこれの下の例えば容量Ｃの一方の電極となる導電層(17)に接続された金層配線層(22)に、絶縁層(23)に穿設された窓を通じて電気的に接続される。電極(24)及び(25)上とこれらが形成されていない絶縁層(23)上に渡つて全面的にSiO2等の液晶の配向効果を得るための配向処理がなされた配向層(26)が全面的に被着される。
　一方透明基板(12)の内面には、基板(11)側に設けられた周辺電極(25)と対向して遮光性を有する電極(27)例えばCr層とAu層とが積層された電極或いはTi層とAu層とが積層された電極が形成される。この電極(27)上にはSiO2等の同様に液晶の配向効果を得るための配向処理がなされた配向層(28)が被着形成される。また、透明基板(12)の表示部Ｅを構成する部分の内面には、各絵素電極(24)に対して共通の対向電極(29)となる透明電極例えばSnO2或いはTiO3層等が被着される。この対向電極(29)は例えば配向層(28)に穿設された窓を通じて遮光電極(27)に電気的に接続されて例えばこれらに接地電位が供給される。また対向電極(29)の表面も液晶の配向効果を得るための配向処理がなされる。
　(30)は基板(11)及び透明基板(12)間の間隔を規制して液晶(13)の封入空間の厚さを規制するスペーサとなり且つ液晶封入空間を液密に保持する障壁でまた(31)はAgペースト或いはInバンプ等よりなる導電体で、例えば遮光電極(27)とこれに対応する端子部(32)とを電気的に接続する。
　基板(11)の裏面には電極層(53)例えば３００Åの厚さのTi層と３０００Åの厚さのAu層とが積層されて被着され例えばこれに接地電位が与えられる。
　そして特に本発明においては、周辺電極(25)に遮光電極(27)と同電位の接地電位が与えられて液晶(13)の表示部以外の周辺回路部における液晶が無電界状態となるようにする。」(第２頁左上欄第７行ないし第３頁右上欄第３行)
(3)　「このような構成による表示装置は、第１図で説明した制御回路(1)及び(2)と、各絵素を駆動する駆動回路すなわちＭＯＳ及びＣ等と、液晶表示部ＬＣが共通の基板において一体化されて形成されるので小型密実化、更に組立製造の簡易化従つて量産性が図られるとともに特に液晶(13)のその表示部すなわち絵素となる部分以外にはこれを挟んで対向する周辺電極(25)と遮光電極(27)とに同電位が与えられるのでこの部分には電界が与えられない状態に保持されるものであり、これがためここにおける液晶の疲労が生じることがなくこの疲労による液晶の特性低下が他の本来の表示部に及んで行く不都合を回避できる。
　尚、上述した例においては液晶表示部Ｅにおける共通の対向電極(29)にも接地電位が与えられる場合で遮光電極(27)と電気的に連結させた場合であるがこの対向電極(29)に遮光電極(27)と異なる電位が与えられる場合にはこの対向電極(29)と遮光電極(27)とは電気的に分離され且つ対向電極(29)から独立に端子導出がなされることは言うまでもないところであろう。
　上述した本発明装置においては基板(11)上に設けられた駆動制御回路によつて映像表示信号に応じた信号電圧が液晶表示部Ｅの各絵素の、絵素電極(24)に順次与えられてこれと対向する対向電極(29)との共働によつて各絵素部の液晶に所定の電圧が印加されこれによつて光学的変化が得られこれを透明基板(12)側から透明電極よりなる対向電極(29)を通じて観察することができ目的とする光学的表示を得ることができる。」(第３頁右上欄第４行ないし左下欄第１３行)
(4)　摘記事項(1)ないし(3)とともに第３図からは、絵素電極(24)がＭＯＳトランジスタ上に配置されている様子、障壁(30)の領域において基板(11)上に周辺回路部Ｓ、その上に絶縁層(21)(33)、その上に金属配線層(22)、その上に燐ガラス或いはポリイミド系樹脂等による絶縁層(23)、その上に周辺電極(25)、その上に配向層(26)が形成され、周辺電極(25)が対向電極(29)と電気的に接続されている様子、及び、端子部(32)が周辺回路部Ｓから障壁(30)の外に延びる金属配線層(22)につなげられている様子、が見てとれる。
　
　したがって、引用例には以下のものが記載されている(以下、「引用発明」という。)。
「　基板(11)及び透明基板(12)間の間隔を規制して液晶(13)の封入空間の厚さを規制するスペーサとなり且つ液晶封入空間を液密に保持する障壁(30)と、
　基板(11)とこれに対向して設けられた透明基板(12)との間に形成された液密空間に封入された液晶(13)と、
　前記基板(11)の液晶(13)が配置される側に表示部に対応して形成されたスイッチング用のＭＯＳトランジスタと、
　前記スイッチング用のＭＯＳトランジスタ上に配置された絵素電極(24)と、
　透明基板(12)の表示部Ｅを構成する部分の内面に被着された、各絵素電極(24)に対して共通の対向電極(29)となる透明電極と、
　制御回路(1)及び(2)を構成する周辺回路部Ｓと、
　障壁(30)の領域において基板(11)上に周辺回路部Ｓ、その上に絶縁層(21)(33)、その上に金属配線層(22)、その上に燐ガラス或いはポリイミド系樹脂等による絶縁層(23)、その上に周辺電極(25)、その上に配向層(26)が形成され、対向電極(29)となる透明電極と遮光電極(27)を介して電気的に接続された周辺電極(25)と、
　周辺回路部Ｓから障壁(30)の外に延びる金属配線層(22)につなげられた端子部(32)と、を具備する液晶表示装置。」
　
４　対比
　そこで、本願発明と引用発明を比較すると、以下のとおりである。
(1)　引用発明の「基板(11)と透明基板(12)」「障壁(30)」「液密空間」「液晶(13)」「基板(11)」「液晶(13)が配置される側」「スイッチング用のＭＯＳトランジスタ」「絵素電極(24)」「対向電極(29)となる透明電極」「燐ガラス或いはポリイミド系樹脂等による絶縁層(23)」「周辺回路部Ｓ」「周辺電極(25)」「金属配線層(22)」「端子部(32)」及び「液晶表示装置」は、それぞれ本願発明の「一対の基板」「封止部」「封止部の内側」「液晶」「一方の基板」「封止部の内側」「トランジスタ」「絵素電極」「対向電極」「有機薄膜」「駆動回路」「導電性膜」「配線」「外部端子」及び「液晶表示装置」に相当する。
(2)　引用発明の「封入され」及び「形成され」は、それぞれ本願発明の「挟持され」及び「配置され」と技術的に見て同じ事項を表している。
(3)　引用発明の「対向電極(29)となる透明電極」は「透明基板(12)の表示部Ｅを構成する部分の内面に被着された、各絵素電極(24)に対して共通の対向電極(29)となる透明電極」であるから、「液晶(13)を挟んで絵素電極(24)と対向して形成された」ものといえる。
(4)　引用発明は「障壁(30)の領域において基板(11)上に周辺回路部Ｓ、その上に絶縁層(21)(33)、その上に金属配線層(22)、その上に燐ガラス或いはポリイミド系樹脂等による絶縁層(23)、その上に周辺電極(25)、その上に配向層(26)が形成され、対向電極(29)となる透明電極と電気的に接続された周辺電極(25)と」の構成を有するから、「障壁(30)と基板(11)の間であって前記障壁(30)に対向して配置され燐ガラス或いはポリイミド系樹脂等による絶縁層(23)で覆われた周辺回路部Ｓ」の構成を有するとともに「障壁(30)の領域において周辺回路部Ｓ上に燐ガラス或いはポリイミド系樹脂等による絶縁層(23)を挟んで形成され、対向電極(29)となる透明電極と電気的に接続された周辺電極(25)」の構成を有するといえる。
　
　したがって、本願発明と引用発明とは、
「　一対の基板間の封止部の内側に挟持された液晶と、
　前記一対の基板の一方の基板の前記封止部の内側に配置されたトランジスタと、
　前記トランジスタ上に配置された絵素電極と、
　前記液晶を挟んで前記絵素電極と対向し形成された対向電極と、
　前記封止部と前記一方の基板の間であって前記封止部に対向して配置され有機薄膜で覆われた駆動回路と、
　前記封止部の領域において前記駆動回路上に有機薄膜を挟んで形成され、前記対向電極と電気的に接続された導電性膜と、
　前記駆動回路から前記封止部の外に延びる配線につなげられた外部端子と、を具備する液晶表示装置。」
　の点で一致し、以下の点で相違している。
　
(相違点１)
　本願発明の対向電極は「封止部まで形成された」ものであるのに対し、引用発明の対向電極(29)となる透明電極と封止部との間には遮光電極(27)が介在しているものであるから、封止部まで形成されたものではない点。
　
(相違点２)
　本願発明の駆動回路は「トランジスタで構成された前記駆動回路上に前記封止部がある」のに対し、引用例には上記記載がない点。
　
５　当審の判断
(1)　相違点１について
　封止部までの基板全面に対向電極を形成する構成は周知であり、例えば、特開昭６４−６８７２５号公報(以下、「周知文献１」という。)、特開昭５９−２３２３８５号公報(以下、「周知文献２」という。)に記載されている。そして、引用発明の対向電極(29)となる透明電極を基板全面に形成し封止部まで形成されたものとすることは、引用発明の対向電極(29)となる透明電極が接地されるものである点を考慮すれば、当業者において適宜採用しうる事項である。
　また、本願発明の作用効果は、引用発明及び周知技術から当業者が予測できる範囲のものである。
　
(2)　相違点２について
　引用発明の周辺回路部Ｓは「制御回路(1)及び(2)を構成する」ものであるから、「トランジスタで構成された」ものであることは自明である。また、周辺回路部Ｓ上に封止部があることは第３図から見て明らかである。
　してみると、引用発明の周辺回路も「トランジスタで構成された前記駆動回路上に前記封止部がある」ものであり、結局、両者はこの点において相違しない。
　
　この点に関し審判請求人は審判請求書(平成１６年８月５日付手続補正書により補正されたもの、以下、単に「審判請求書」という。)において、以下のとおり主張している。
ア　「引用文献１(当審注：「引用例」と同一文献)記載の周辺回路部Ｓは、第３、４図から見ても明らかなように、隔壁の内側にある制御回路１、２（半導体回路で構成されている。）と、隔壁より外側まで延びており、制御回路１、２を構成する部分ではない端子３２等を含むものである。
　引用文献１の周辺回路部Ｓのうち制御回路１、２は、本願発明の駆動回路と液晶の駆動という点で機能が一部共通するが、この制御回路１、２は、隔壁３０（本願発明の封止部に相当する。）の内側の画素領域に配置されている点で構成が異なる。
　又、周辺回路部Ｓのうち封止部の領域及び封止部の外側にある部分は、制御回路１、２を構成する部分ではなく、しかも封止部の外側まで形成されているという点で、本願発明の「トランジスタから構成される駆動回路上に封止部がある」という構成とも全く異なる。
　よって、引用文献１の周辺回路部Ｓは、本願発明のトランジスタから構成される駆動回路とは異なるものである。」
イ　「引用文献１の制御回路１、２は、本願発明の駆動回路と機能が一部共通するが、隔壁３０の内側に配置されていることは明らかであり、本願発明のように「トランジスタで構成された駆動回路が封止部と一方の基板の間において駆動回路の上に封止部に対向して位置するように配置され、」と規定される「駆動回路」に相当するものではない。
　そして、引用文献１記載のものでは、制御回路が封止部の内側の領域にあるので、その分だけ液晶表示部において平面的なスペースがとられてしまい、本願発明のように駆動回路が封止部の領域にあるものに比較すると、液晶パネルのサイズを小さくすることができず、本願発明のような顕著な効果を奏し得ない。」
　
　これについては、既に述べたとおり引用発明の周辺回路部Ｓは「トランジスタで構成された前記駆動回路上に前記封止部がある」に相当する構成を有するものであるから、審判請求人の主張は元来採用できない。
　しかしながら、図３を見ると、障壁(30)の真下にトランジスタらしき層構造は描かれておらず、また「回路」とは一般にトランジスタなどの素子のみから構成されるものではなく、配線などを必然的に含むものであることから、審判請求人は「トランジスタで構成された前記駆動回路上に前記封止部がある」との記載を「トランジスタで構成された前記駆動回路のトランジスタで構成された部分の真上に前記封止部がある」と捉え、主張しているように見受けられる。
　そこで、仮にその点が相違点であったとして、以下検討する。
　
(相違点３)
　本願発明のトランジスタで構成された駆動回路は、そのトランジスタで構成された部分の真上に封止部があるのに対し、引用発明の周辺回路部Ｓはトランジスタで構成された制御回路(1)及び(2)を主要部とするが、障壁(30)の真下には配線など付随的なものしか構成されていない。
　
(相違点３について)
　駆動回路を封止部の下に配置することは周知であって、例えば、特開平２−２４２２３０号公報(以下、「周知文献３」という。)、特開平２−４２４２０号公報(以下、「周知文献４」という。)に記載されている。そして、引用発明は液晶表示装置の小型密実化を目的としたものであるから、引用発明の周辺回路部Ｓのトランジスタで構成された制御回路(1)及び(2)の少なくとも一部を封止部の下に配置し、(相違点３)で仮に認定した本願発明の駆動回路の構成とすることは、当業者が容易に採用しうる構成といえる。
　したがって仮に、封止部の真下の領域についてのみ注目し、トランジスタ構造の有無を検討するとしても、それは、本願発明と引用例との対比判断に若干の修正が生じるのみで、本願発明が引用発明及び周知技術から容易に発明できたものとする結論において違いはない。
　また、本願発明の作用効果は、引用発明及び周知技術から当業者が予測できる範囲のものである。
　
　よって、上記審判請求人の主張、とりわけ摘記事項イの主張は、本願発明の実施例である、駆動回路全体が封止部の真下にある構成に基づくものであるが、仮にこれを考慮するとしても、このような構成は周知であって周知文献３、４に記載されており、本願発明が引用発明及び周知技術から容易に発明できたものとする結論が変わるものではない。
　
　さらに、審判請求人は、審判請求書において、以下の主張もしている。
ウ　「引用文献１では、周辺電極２５は、図３で明らかなように、Ａｌ層２２及び端子部３２を介して制御回路１、２と電気的に接続されており、仮に制御回路付近の静電気が周辺電極２５に流れ込んだとしても制御回路に対する影響があり、プレートのように駆動回路の静電破壊や誤動作を防止できるというような効果は生じない。」
　しかしながら、図３は、接地点としての端子部(32)において周辺回路部Ｓの接地が取られ、また、周辺電極(25)の接地も取られている構成を示すものであるから、周辺電極(25)から端子部(32)ないしＡｌ層(22)を介して静電気が駆動回路の静電破壊や誤動作を招くとの主張は採用できない。
　そもそも、本願発明は駆動回路の接地箇所並びに導電性膜及び対向電極の電位及び接続箇所を特定しておらず、プレートのように駆動回路の静電破壊や誤動作を防止できる機能を発揮できるもののみを包含するものとはいえない。
　よって、審判請求人の主張はいずれも採用できない。
　
６　むすび
　以上のとおり、本願発明は、引用例に記載された発明及び周知技術に基づいて当業者が容易に発明をすることができたものであるから、特許法第２９条第２項の規定により特許を受けることができない。
　
　よって、結論のとおり審決する。